(57)【特許請求の範囲】
【請求項１】
下面に開口を有する器具本体と；
前記器具本体の前記開口側の周辺部に装着され、内側に互いに対向するように立設された一対の壁部を有する枠体と、前記一対の壁部の外側にそれぞれ配置されて前記枠体側に支持された一対の第１の板部、および前記一対の第１の板部の上方側に設けられて前記器具本体の前記開口の上方側を覆うセード部を有するセードと、前記一対の第１の板部の外側に配置されて前記枠体側に設けられた一対の第２の板部を有し、前記器具本体内に収容される反射体と、前記反射体に設けられ、前記セードの上面側に光を照射する光源とを備えた光源ユニットと；
を具備することを特徴とする照明器具。
【請求項２】
前記セードは、前記一対の壁部に平行な方向に沿って前記セード部の中央部が前記器具本体内に窪むように湾曲され、
前記光源ユニットは、前記セード部の湾曲方向に対応した前記光源ユニットの両側部に設けられ、前記光源ユニットを前記器具本体に取り付ける取付ばねを備えている
ことを特徴とする請求項１記載の照明器具。
【請求項３】
前記セードは、前記一対の第１の板部に平行な方向の前記セード部の両端部が前記枠体と前記反射体との間に挟持されているとともに、前記第１の板部が前記反射体によって前記枠体側に押圧されている
ことを特徴とする請求項１または２記載の照明器具。
【発明の詳細な説明】
【技術分野】
【０００１】
本発明の実施形態は、器具本体に光源ユニットが装着される照明器具に関する。
【背景技術】
【０００２】
従来、例えば天井に設置された器具本体に対して、この器具本体の下面に設けられている開口から光源ユニットを挿入して装着するようにした照明器具がある。
【０００３】
光源ユニットは、器具本体の開口側の周辺部に装着される枠体、この枠体の内側に取り付けられたセード、このセードの上面側を覆うように枠体に設けられた反射体、およびこの反射体に取り付けられた光源などを一体に備え、枠体に取り付けられた取付ばねによって器具本体に装着される構造となっている。
【０００４】
このように一体化された光源ユニットでは、器具本体に装着される枠体などへの負荷が大きくなり、枠体などに変形が生じやすくなる。
【先行技術文献】
【特許文献】
【０００５】
【特許文献１】特開２０１４−２３２７１３号公報
【発明の概要】
【発明が解決しようとする課題】
【０００６】
本発明が解決しようとする課題は、光源ユニットの強度を高めることができる照明器具を提供することである。
【課題を解決するための手段】
【０００７】
実施形態の照明器具は、器具本体および光源ユニットを備える。器具本体は、下面に開口を有する。光源ユニットは、枠体、セード、反射体および光源を備える。枠体は、器具本体の開口側の周辺部に装着され、内側に互いに対向するように立設された一対の壁部を有する。セードは、一対の壁部の外側にそれぞれ配置されて枠体側に支持された一対の第１の板部、および一対の第１の板部の上方側に設けられて器具本体の開口の上方側を覆うセード部を有する。反射体は、一対の第１の板部の外側に配置されて枠体側に設けられた一対の第２の板部を有し、器具本体内に収容される。光源は、反射体に設けられ、セードの上面側に光を照射する。
【発明の効果】
【０００８】
本発明によれば、枠体側にセードと反射体とを所定の構造で支持させることで、光源ユニットの強度を高めることが期待できる。
【図面の簡単な説明】
【０００９】
【図１】一実施形態を示す照明器具の第１の方向の一部の断面図である。
【図２】同上照明器具の第２の方向の一部の断面図である。
【図３】同上照明器具の第１の方向の断面図である。
【図４】同上照明器具の第２の方向の断面図である。
【図５】同上照明器具の器具本体と光源ユニットとの分解斜視図である。
【図６】同上照明器具の光源ユニットの分解斜視図である。
【発明を実施するための形態】
【００１０】
以下、一実施形態を、図１ないし図６を参照して説明する。
【００１１】
図３ないし図５に示すように、照明器具10は、例えば、天井面11（図１および図２参照）に形成された埋込口11a（図１および図２参照）に埋め込み設置される天井埋込形照明器具である。
【００１２】
照明器具10は、天井面11に設置される器具本体12、およびこの器具本体12に着脱可能に装着される光源ユニット13を備えている。器具本体12には、電源装置14、制御装置15および端子台16が取り付けられている。
【００１３】
そして、器具本体12は、四角形箱状に形成されており、天板20、この天板20の一辺に沿った第１の方向ａで互いに対向する一対の側板21、および第１の方向ａに直交する第２の方向ｂで互いに対向する一対の側板22を有している。器具本体12の下面に四角形状の開口23が形成され、器具本体12の内部に光源ユニット13を収容する収容部24が形成されている。
【００１４】
天板20には、天井面11よりも上方の天井構造物から垂下されているボルトに取り付けるための取付孔25、および器具本体12内に電源線などを引き込むための配線孔が形成されている。天板20の下面に、電源装置14、制御装置15および端子台16が取り付けられている。
【００１５】
側板21，22の下端周辺部には、略Ｕ字形に屈曲されていて埋込口11aの周囲の天井面11に当接されるフランジ部26が突設されている。
【００１６】
一対の側板21の内側には、光源ユニット13を取り付けるための複数のばね受金具27が取り付けられている。
【００１７】
次に、図１ないし図６に、光源ユニット13の構成を示す。
【００１８】
光源ユニット13は、枠体30、セード31、反射体32、光源33および取付ばね34などを備えており、一体的にユニット化されている。
【００１９】
枠体30は、中央に四角形状の開口部36を有する四角形枠状に形成され、器具本体12の側板21，22の下部側に装着される。すなわち、枠体30は、器具本体12の開口側の周辺部に装着される。
【００２０】
枠体30は、第１の方向ａで互いに対向する一対の枠部37、および第２の方向ｂで互いに対向する一対の枠部38を有し、これら枠部37，38が四角形枠状に連結されている。各枠部37，38は、器具本体12のフランジ部26を覆うように断面略Ｕ字形に形成されている。
【００２１】
第１の方向ａの枠部37の内側には、セード31を支持するセード支持部39が折り返して形成されているとともに、このセード支持部39から上方へ板部40が立設されている。第２の方向ｂの枠部38の上面には、上方へ突出する第３の板部としての板部41が立設されている。これら板部40，41も四角形枠状に連結されている。
【００２２】
第１の方向ａの枠部37の板部40には、取付ばね34をそれぞれ取り付ける複数の取付金具42が取り付けられている。
【００２３】
第２の方向ｂの枠部38の内側には、一対の壁部43が互いに対向するように立設されている。一対の壁部43は、枠体30に一体に形成されている。一対の壁部43は、セード31の形状に対応して、上端が第１の方向ａに沿って湾曲されているとともに、上部側が開口部36の内側に向けて傾斜されている。なお、枠体30の表面は白色塗装されており、一対の壁部43の内面は白色または鏡面の反射面43aに形成されている。
【００２４】
また、セード31は、透光性および光拡散性を有する例えば乳白色の樹脂材料が用いられ、例えば圧空成形法によって一体に形成されている。
【００２５】
セード31は、第１の方向ａ（湾曲方向）に沿って湾曲されているとともに第２の方向ｂ（幅方向）に直線状に形成された発光面45であるセード部46、このセード部46の第２の方向ｂ（幅方向）の両側面に設けられた一対の第１の板部47である側面部48、これらセード部46の両端および側面部48の下端からそれぞれ外側方向に突設された周囲の縁部49を備えている。
【００２６】
そして、セード31は、一対の第１の板部47（側面部48）が枠体30の一対の壁部43の外側に配置されて、セード部46の第１の方向ａ（湾曲方向）の両端部の縁部49が枠体30のセード支持部39上に支持されている。枠体30に組み付けられたセード31のセード部46は、器具本体12の開口23の上方側を覆い、セード部46の端部領域46aに対して中央領域46bが器具本体12の内側に窪むように湾曲されている。なお、セード部46の第２の方向ｂ（幅方向）の両端部の縁部49は、枠体30側に支持されていないが、例えば板部41の一部にその縁部49が載置される部分を設けることにより、枠体30側で支持するようにしてもよい。
【００２７】
また、反射体32は、両端側が下方に折れ曲がるように第１の方向ａに沿って設けられた反射板51、およびこの反射板51の第２の方向ｂの両側面に設けられた一対の第２の板部52である反射板53を備えている。反射体32の下面に四角形状の開口部54が形成され、反射体32の内部に光源33やセード31のセード部46を収容する空間55が形成されている。
【００２８】
反射板51は、セード31のセード部46の湾曲形状に対応して折り曲げられた複数の反射面56a，56b，56c，56d，56eを備えている。中央の反射面56aは水平状に設けられ、中央の反射面56aの両側の反射面56b，56cはそれぞれ端部側が下降するように傾斜状に設けられ、反射面56cは例えば４５°の角度で傾斜して設けられている。反射面56d，56eは、反射体32の側面を構成している。反射板51の両端には、外側方向に突出する縁部57が設けられている。
【００２９】
反射板53の下端には、開口部54の内側方向に突出する縁部58が設けられている。
【００３０】
そして、枠体30に組み付けられたセード31の周囲の縁部49上に、環状のパッキング59を介在して、反射体32の縁部57，58が配置される。一対の第２の板部52（反射板53）は、セード31の一対の第１の板部47（側面部48）の外側に配置される。そして、枠部37の板部40の内側に押え金具60が配置され、板部40に対してばね受金具27と押え金具60とがねじで共締め固定されている。この押え金具60によってパッキング59を介して反射板51の縁部57を枠体30側に押し付けている。また、反射板53は枠部38の板部41にねじで固定されている。この反射板53の縁部58がパッキング59を介してセード31の縁部49をセード支持部39に押し付けている。したがって、枠体30と反射体32との間にセード31が挟み込まれて保持されている。
【００３１】
また、光源33は、一対の主光源62と、一対の補助光源63とを備えている。
【００３２】
一対の主光源62は、反射体32内の第１の方向ａの両端部側の位置で、それぞれ第２の方向ｂに沿って設けられている。すなわち、一対の主光源62は、反射体32の一対の反射面56cにそれぞれ取り付けられている。
【００３３】
主光源62は、白色光を発光する。白色光は、一般の照明光に用いられる白色系の照明光で、例えば昼光色、昼白色および電球色などの照明光が含まれる。
【００３４】
主光源62は、発光モジュール64、この発光モジュール64を反射体32に取り付けるための取付部65、および発光モジュール64を覆う光源カバー66を備えている。発光モジュール64は、基板67、およびこの基板67に実装された複数の発光素子68を備えている。光源カバー66は、透光性および光拡散性を有している。
【００３５】
そして、主光源62は、セード31の端部領域46aから中央領域46bに亘って対向し、セード31の端部領域46aから中央領域46bに亘って白色光を照射する。１つの主光源62の光束は例えば３０００lm程度で、照明器具10が備える２つの主光源62の合計の光束は６０００lm程度となっている。
【００３６】
一対の補助光源63は、反射体32内の中央の位置で、それぞれ第２の方向ｂに沿って取付けられている。すなわち、一対の補助光源63は、反射体32の反射面56aにそれぞれ取り付けられている。
【００３７】
補助光源63は、白色光とは異なる光色の光（以下、カラー光という）を発光する。カラー光としては、例えば、青色や赤色などのいずれか１色の場合、または、赤色、緑色および青色などの複数色の場合が含まれる。
【００３８】
補助光源63は、発光モジュール69、この発光モジュール69を反射体32に取り付けるための取付部70、および発光モジュール69を覆う光源カバー71を備えている。発光モジュール69は、基板72、およびこの基板72に実装された複数の発光素子73を備えている。光源カバー71は、透光性および光拡散性を有している。
【００３９】
そして、補助光源63は、セード31の中央領域46bに対向し、セード31の中央領域46bにカラー光を照射する。補助光源63の光束は、補助光源63の光が青色光の場合には例えば２７０lm程度となっている。
【００４０】
なお、照明器具10が主光源62からの白色光による主照明の機能を維持し、かつ補助光源63のカラー光によって空間が変色することを抑制するためには、補助光源63の光束は１つの主光源62の光束よりも小さく、例えば１／５以下、さらには１／７以下であることが好ましい。
【００４１】
また、取付ばね34は、中央のコイル部が取付金具42に取り付けられ、コイル部から突出された略Ｌ字形の両端部が器具本体12のばね受金具27に取り付けられる。
【００４２】
次に、電源装置14は、主光源用の主電源装置76と、補助光源用の補助電源装置77とを備えている。これら各電源装置76，77は、交流電源が入力され、制御装置15による制御によって、交流電源を所定の直流電源に変換して各光源62，63に供給する。
【００４３】
制御装置15は、上位装置から調光信号などを入力し、各電源装置76，77を制御する。
【００４４】
そして、照明器具10を天井面11に設置する。
【００４５】
器具本体12を天井面11の埋込口11aに挿入し、天井構造物から垂下されているボルトに器具本体12を取り付ける。このとき、電源線や信号線を器具本体12内に引き込んで端子台16にそれぞれ接続する。
【００４６】
光源ユニット13の一側の取付ばね34を器具本体12の一側のばね受金具27にそれぞれ引っ掛けて、光源ユニット13を器具本体12に吊下げ状態とし、光源ユニット13の反射体32から予め引き出されている配線のコネクタと器具本体12の電源装置14から引き出されている配線のコネクタとを接続する。
【００４７】
光源ユニット13の他側の取付ばね34を器具本体12の他側のばね受金具27にそれぞれ引っ掛けて、光源ユニット13を器具本体12に向けて押し上げることにより、複数の取付ばね34の弾性によって光源ユニット13を器具本体12に引き上げて取り付ける。
【００４８】
光源ユニット13の取付状態では、反射体32が器具本体12の収容部24に収容され、枠体30が器具本体12のフランジ部26を覆うとともに、セード31のセード部46が器具本体12の開口23の上方側を覆う。
【００４９】
そして、照明器具10は、主光源62および補助光源63に主電源装置76および補助電源装置77から点灯電源を供給することにより、主光源62および補助光源63をそれぞれ点灯する。
【００５０】
主光源62からの白色光はセード31の端部領域46aから中央領域46bに照射され、補助光源63からのカラー光はセード31の中央領域46bに照射され、セード31全体が光る。
【００５１】
この場合、セード31の端部領域46aは白色光によって白色に光り、セード31の中央領域46bはカラー光によって例えば青色に光る。
【００５２】
セード31を透過した白色光が照明空間に照射される。この場合、主光源62が器具本体12の端部側に設けられ、主光源62の光軸を照明器具10の中央方向に向けて傾斜させていることにより、埋込形の照明器具10であっても広い配光角の領域に白色光を照射することができる。
【００５３】
セード31の中央領域46bに照射されるカラー光は、そのセード31の中央領域46bがカラー光に染まる程度の光束であるため、セード31の中央領域46bを透過して照明空間に照射されるカラー光の光量は白色光に比べて少ない。
【００５４】
そのため、照明空間には、主として白色光が照射され、例えば読書や作業を行うのに適した照明環境となる。
【００５５】
また、セード31の中央領域46bには、主光源62からの白色光と補助光源63からのカラー光との両方が照射されるが、白色光の光量がセード31の端部領域46aから中央領域46bに向かうに従って徐々に少なくなるとともに、カラー光の光量がセード31の中央領域46bの周辺から中央に向かうに従って徐々に多くなる。そのため、セード31の端部領域46aと中央領域46bとの間には、白色と青色との間で徐々に色が変わるグラデーション領域が形成される。そのため、照明器具10を見上げた際、セード31の色がグラデーション領域を介して自然に変化しているように見え、光演出効果を高めることができる。
【００５６】
セード31の中央領域46bは、補助光源63のカラー光が青色であっても、この青色と白色光とが混色することで、空色に近い青色となる。この場合、照明器具10を見上げた人は、空が連想されやすく、開放感やリラックス感が得られやすくなる。
【００５７】
また、主光源62および補助光源63からセード31に照射された光の一部が反射して反射体32の反射面56a〜56eに向かい、これら反射面56a〜56eで反射して再びセード31に照射されるため、セード31を透過して照明空間に取り出される光取出効率を高めることができる。
【００５８】
さらに、主光源62からの白色光が反射面56bで反射してセード31の中央領域46bの方向に向かい、補助光源63からの青色光が反射面56bで反射してセード31の端部領域46aの方向に向かう。すなわち、主光源62と補助光源63との間の反射面56bに白色光および青色光が直接または間接的にそれぞれ入射して反射する。そのため、反射面56bで反射する白色光および青色光がセード31の中央領域46bと端部領域46aとの間に照射され、セード31の色度が自然に変化し、違和感のない自然なグラデーションを呈することができる。
【００５９】
また、セード31を透過した光の一部は、枠体30の壁部43の反射面43aで反射し、照明空間に照射される。そのため、壁部43の反射面43aは、セード31の端部領域46aおよび中央領域46bの色に連続した色で光り、単なる平面的な印象とはならず、奥行感や開放感を得ることができる。
【００６０】
したがって、照明器具10では、白色光による主照明の機能を維持しながら、光演出効果を得ることができる。
【００６１】
さらに、セード31の中央領域46bが器具本体12の内側に窪むように湾曲しているため、カラー光で光るセード31の中央領域46bが遠くにあるような奥行感や開放感が得られやすく、光演出効果を向上できる。
【００６２】
また、光源ユニット13においては、枠体30に壁部43を設け、この壁部43の外側にセード31の第１の板部47を配置するとともに、この第１の板部47の外側に反射体32の第２の板部52を配置することにより、これらが三重に重なり合って配置されるため、枠体30に対して枠体30が変形する方向に外力が加わった場合でも、この外力に対する強度を高めることができる。しかも、枠体30の一対の壁部43で、これらの重なり部分を覆うことにより、美観を損なわず、特別な補強部材を用いることなく、光源ユニット13の強度を高めることができる。
【００６３】
また、セード31の湾曲方向に対応した光源ユニット13の両側には、セード31の湾曲方向に直交する方向に対応した光源ユニット13の両側に比べて、スペースがある。そのため、セード31の湾曲方向に対応した光源ユニット13の両側に取付ばね34を設けることにより、取付ばね34を器具本体12のばね受金具27に着脱する際の作業性を良好にできる。
【００６４】
また、セード31の一対の第１の板部47に平行な方向のセード31の両端部は枠体30と反射体32との間に挟持できるのに対して、枠体30の一対の壁部43の外側に配置されるセード31の一対の第１の板部47は枠体30上に支持しにくい構造となっているが、その第１の板部47を反射体32によって枠体30側に押圧することにより、セード31を枠体30に対して強固に保持することができる。
【００６５】
また、枠体30の壁部43は、開口部36の内側方向に傾斜している。これは、セード31の型成形の際の型抜き用の傾斜が第１の板部47が有しているためで、この第１の板部47の傾斜に対応して枠体30の壁部43も傾斜している。枠体30の壁部43が開口部36の内側方向に傾斜していることにより、下方への光の反射効果が向上し、セード31の光と壁部43で反射する光とが連続しているように見える連続性も向上できる。
【００６６】
なお、補助光源63を消灯し、主光源62のみを点灯させた場合、セード31の全体を白色光によって光らせることができる。また、主光源62を消灯し、補助光源63のみを点灯させることもできる。
【００６７】
また、補助光源63は、赤色、緑色および青色の発光素子73を備えてカラー照明可能な場合、例えば時刻毎の空の色の変化に対応したカラー光を照射し、例えば日中は青空、夕方は夕焼け空を発光面45に再現するようにしてもよい。
【００６８】
また、セード31は、中心を頂部として周辺部に向けて湾曲する球面状に形成してもよい。この場合、セード31の周辺部は、四角形状および円形状のいずれでもよい。さらに、主光源62は、器具本体12の側面全周域に設けて、セード31の外径側からセード31に白色光を照射するようにしてもよい。
【００６９】
また、セード31は、平板状でもよく、あるいは、中央領域46bが器具本体12から突出するように湾曲していてもよい。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
10    照明器具
12    器具本体
13    光源ユニット
23    開口
30    枠体
31    セード
32    反射体
33    光源
34    取付ばね
43    壁部
46    セード部
47    第１の板部
52    第２の板部
【図１】
0006547955.tif 000002
【図２】
0006547955.tif 000003
【図３】
0006547955.tif 000004
【図４】
0006547955.tif 000005
【図５】
0006547955.tif 000006
【図６】
0006547955.tif 000007